(57)【要約】【課題】携帯端末のセキュリティを向上させる。【解決手段】本発明の携帯端末は、端末本体と前記端末本体に着脱自在に装着される複数用意されたパネルとからなり、前記複数のパネルの装着状態に応じて、機能を利用可能にする携帯端末であって、前記端末本体は、前記パネルを１以上装着可能な装着部と、前記装着部に前記パネルが装着されると、該パネルの装着位置を示すパネル情報を出力する検出部と、前記パネルの装着位置に対応して利用可能にする機能を記憶する記憶部と、前記パネル情報に示される前記パネルの装着位置に対応して前記記憶部に記憶された機能を利用可能にする制御部と、を有する。【選択図】図１
2012191303.tif 000002
【特許請求の範囲】
【請求項１】
端末本体と前記端末本体に着脱自在に装着される複数用意されたパネルとからなり、前記複数のパネルの装着状態に応じて、機能を利用可能にする携帯端末であって、
前記端末本体は、
前記パネルを１以上装着可能な装着部と、
前記装着部に前記パネルが装着されると、該パネルの装着位置を示すパネル情報を出力する検出部と、
前記パネルの装着位置に対応して利用可能にする機能を記憶する記憶部と、
前記パネル情報に示される前記パネルの装着位置に対応して前記記憶部に記憶された機能を利用可能にする制御部と、を有することを特徴とする携帯端末。
【請求項２】
請求項１記載の携帯端末において、
前記制御部は、前記パネル情報に示される前記パネルの装着位置が前記記憶部に記憶されていない場合には、所定の機能のみ利用可能にすることを特徴とする携帯端末。
【請求項３】
端末本体と前記端末本体に着脱自在に装着される複数用意されたパネルとからなり、前記複数のパネルの装着状態に応じて、機能を利用可能にする携帯端末の制御方法であって、
検出部が、前記１以上のパネルが装着されると、該パネルの装着位置を示すパネル情報を出力し、
記憶部が、前記パネルの装着位置に対応して利用可能にする機能を記憶し、
制御部が、前記パネル情報に示される前記パネルの装着位置に対応して前記記憶部に記憶された機能を利用可能にすることを特徴とする携帯端末の制御方法。
【請求項４】
請求項３記載の携帯端末の制御方法において、
前記制御部が、前記パネル情報に示される前記パネルの装着位置が前記記憶部に記憶されていない場合には、所定の機能のみ利用可能にすることを特徴とする携帯端末の制御方法。
【発明の詳細な説明】
【技術分野】
【０００１】
本発明は、携帯端末およびその制御方法に関する。
【背景技術】
【０００２】
携帯端末には、通話を行う機能、メールを送受信する機能、インターネットに接続する機能など、様々な機能を有するものがある。なお、携帯端末の具体例としては、携帯電話機、ＰＨＳ（Personal Handyphone System）、ＰＤＡ（Personal Data Assistance）などがある。
【０００３】
上述したような様々な機能を利用可能とするために、特許文献１（特開２００９−１５９２７６号公報）には、端末本体と端末本体に着脱自在に装着され、携帯端末の機能の利用に必要な情報を記憶するパネルとからなり、端末本体にパネルが装着されると、そのパネルに記憶された情報を用いて機能が利用可能となる携帯端末が開示されている。この携帯端末によれば、パネルを携帯端末に装着することで、そのパネルに応じた機能が利用可能となる。
【先行技術文献】
【特許文献】
【０００４】
【特許文献１】特開２００９−１５９２７６号公報
【発明の概要】
【発明が解決しようとする課題】
【０００５】
しかしながら、特許文献１に開示の携帯端末においては、携帯端末を利用する権限の無い第三者であっても、パネルを装着しさえすれば、携帯端末の機能が利用可能となる。そのため、特許文献１に開示の携帯端末には、権限の無い第三者による機能の利用を制限することが困難であり、十分にセキュリティを確保することができないという課題がある。
【０００６】
本発明の目的は、上述した課題を解決することができる携帯端末およびその制御方法を提供することにある。
【課題を解決するための手段】
【０００７】
上記目的を達成するために本発明の携帯端末は、
端末本体と前記端末本体に着脱自在に装着される複数用意されたパネルとからなり、前記複数のパネルの装着状態に応じて、機能を利用可能にする携帯端末であって、
前記端末本体は、
前記パネルを１以上装着可能な装着部と、
前記装着部に前記パネルが装着されると、該パネルの装着位置を示すパネル情報を出力する検出部と、
前記パネルの装着位置に対応して利用可能にする機能を記憶する記憶部と、
前記パネル情報に示される前記パネルの装着位置に対応して前記記憶部に記憶された機能を利用可能にする制御部と、を有する。
【０００８】
上記目的を達成するために本発明の携帯端末の制御方法は、
端末本体と前記端末本体に着脱自在に装着される複数用意されたパネルとからなり、前記複数のパネルの装着状態に応じて、機能を利用可能にする携帯端末の制御方法であって、
検出部が、前記１以上のパネルが装着されると、該パネルの装着位置を示すパネル情報を出力し、
記憶部が、前記パネルの装着位置に対応して利用可能にする機能を記憶し、
制御部が、前記パネル情報に示される前記パネルの装着位置に対応して前記記憶部に記憶された機能を利用可能にする。
【発明の効果】
【０００９】
本発明によれば、携帯端末のセキュリティの向上を図ることができる。
【図面の簡単な説明】
【００１０】
【図１】本発明の一実施形態の携帯端末の構成を示すブロック図である。
【図２】図１に示す記憶部が記憶するセキュリティ設定テーブルの構成の一例を示す図である。
【図３】図１に示す携帯端末へのパネルの装着状態を示す図である。
【図４】図１に示す携帯端末の動作を示すフローチャートである。
【発明を実施するための形態】
【００１１】
以下に、本発明を実施するための形態について図面を参照して説明する。
【００１２】
図１は、本発明の一実施形態の携帯端末の構成を示すブロック図である。
【００１３】
図１に示す携帯端末１００は、端末本体１１０と端末本体１１０に着脱自在に装着される、複数用意されたパネル１２０とからなる。
【００１４】
また、端末本体１１０は、装着部１１１と、検出部１１２と、制御部１１３と、記憶部１１４と、を有する。
【００１５】
装着部１１１は、１以上のパネル１２０が着脱自在に装着可能である。
【００１６】
なお、装着部１１１は、例えば、ネジ孔を備えており、パネル１２０にもネジ孔を設け、ネジ孔を介して装着部１１１とパネル１２０とをネジ止めすることで、パネル１２０が装着される。
【００１７】
検出部１１２は、装着部１１１にパネル１２０が装着されると、パネル１２０の装着状態を検出し、検出した状態を示すパネル情報を制御部１１３に出力する。
【００１８】
制御部１１３は、パネル１２０の装着状態に対応して利用可能にする機能である利用制限解除機能を設定するセキュリティ設定が行われると、設定されたパネル１２０の装着状態と利用制限解除機能とを対応付けて記憶部１１４に記憶させる。
【００１９】
また、制御部１１３は、検出部１１２から出力されたパネル情報に応じて、携帯端末１００の機能の利用を可能にする。
【００２０】
記憶部１１４は、図２に示すように、パネル１２０の装着状態に対応する利用制限解除機能を、テーブル形式で記憶する。以下では、図２に示す、パネル１２０の装着状態と、利用制限解除機能と、を対応付けたテーブルを、セキュリティ設定テーブルと称する。
【００２１】
また、記憶部１１４は、携帯端末１００の初期化後、初めての携帯端末１００の起動（以下、初回起動と称する）であるか否かを示す初回起動フラグを記憶する。
【００２２】
図３は、パネル１２０の装着状態の一例を示す図である。
【００２３】
図３に示すように、端末本体１１０には、パネル１２０との接触箇所にボタン１１５が設けられており、パネル１２０が装着されるとボタン１１５が押下げられる。
【００２４】
検出部１１２は、ボタン１１５の押下状態に応じて、パネル１２０の装着位置を検出する。
【００２５】
以下では、パネル１２０の装着位置を、パネル１２０の装着状態として説明する。
【００２６】
次に、本実施形態の携帯端末１００の動作について説明する。
【００２７】
図４は、携帯端末１００の動作を示すフローチャートである。
【００２８】
なお、以下では、パネル１２０が装着部１１１に装着されているものとする。
【００２９】
携帯端末１００の起動が開始されると、制御部１１３は、記憶部１１４に記憶された初回起動フラグを確認し、初回起動であるか否かを判定する（ステップＳ１０１）。
【００３０】
初回起動である場合（ステップＳ１０２：Ｙｅｓ）、検出部１１２は、パネル１２０の装着位置を検出してパネル情報を取得し、制御部１１３に出力する（ステップＳ１０２）。
【００３１】
制御部１１３は、初回起動が行われた旨を示す初回起動フラグと検出部１１２から出力されたパネル情報とを記憶部１１４に記憶させる。
【００３２】
なお、記憶部１１４は、データを記憶するための領域として、データの記憶を行う際に認証が必要な管理データ領域と認証が不要なユーザデータ領域とを有しており、初回起動フラグおよびパネル情報を管理データ領域に記憶する（ステップＳ１０３）。以下では、管理データ領域に記憶されたパネル情報を管理パネル情報と称する。
【００３３】
次に、制御部１１３は、不図示の表示部などを介して、セキュリティ設定を行うようにユーザに要求する（ステップＳ１０４）。
【００３４】
セキュリティ設定が行われ、パネル１２０の装着位置が変更されると、検出部１１２は、変更後のパネル１２０の装着位置を検出してパネル情報を取得し、制御部１１３に出力する。
【００３５】
また、制御部１１３は、記憶部１１４に、検出部１１２から出力されたパネル情報に示されるパネル１２０の装着位置に対応する、セキュリティ設定により設定された利用制限解除機能をセキュリティ設定テーブルに記憶させる（ステップＳ１０５）。なお、記憶部１１４は、セキュリティ設定テーブルをユーザデータ領域内に記憶する。
【００３６】
次に、制御部１１３は、表示部などを介して、セキュリティ設定をさらに行うか否かを確認する（ステップＳ１０６）。
【００３７】
制御部１１３は、セキュリティ設定をさらに行う旨が入力されると（ステップＳ１０６：Ｙｅｓ）、ステップＳ１０４の処理に戻り、セキュリティ設定を行わない旨が入力されると（ステップＳ１０６：Ｎｏ）、処理を終了する。
【００３８】
初回起動ではない場合（ステップＳ１０２：Ｎｏ）、検出部１１２は、パネル１２０の装着位置を検出してパネル情報を取得し、制御部１１３に出力する（ステップＳ１０７）。
【００３９】
制御部１１３は、検出部１１２から出力されたパネル情報が、管理パネル情報と一致するか否かを判定する（ステップＳ１０８）。
【００４０】
管理パネル情報と一致する場合（ステップＳ１０８：Ｙｅｓ）、制御部１１３は、ステップＳ１０４の処理に進む。すなわち、制御部１１３は、初回起動時以外では、管理パネル情報に示されるパネル１２０の装着位置と同じ位置にパネル１２０が装着された場合に、セキュリティ設定を受け付ける。
【００４１】
管理パネル情報と一致しない場合（ステップＳ１０８：Ｎｏ）、制御部１１３は、検出部１１２から出力されたパネル情報に示されるパネル１２０の装着位置と一致するパネル１２０の装着位置が記憶部１１４に記憶されているか否かを判定する（ステップＳ１０９）。
【００４２】
一致するパネル１２０の装着位置が記憶されている場合（ステップＳ１０９：Ｙｅｓ）、制御部１１３は、そのパネル１２０の装着位置に対応する利用制限解除機能を利用可能にする（ステップＳ１１０）。
【００４３】
一致するパネル１２０の装着位置が記憶されていない場合（ステップＳ１０９：Ｙｅｓ）、制御部１１３は、所定の機能のみ、例えば、通話を行なう機能のみ、利用可能にする（ステップＳ１１１）。
【００４４】
このように本実施形態によれば、携帯端末１００は、ユーザにより設定されたパネル１２０の装着状態（装着位置）に対応する利用制限解除機能を記憶し、パネル１２０の装着状態を検出し、検出した装着状態に対応する利用制限解除機能を利用可能にする。
【００４５】
そのため、ユーザにより設定されたパネル１２０の装着状態となった場合にのみ、携帯端末１００の機能の利用が可能となるので、セキュリティの向上を図ることができる。また、パネル１２０の装着状態に応じて、利用制限解除機能を設定することができるので、簡易な方法で、様々なレベルの利用制限を行なうことができる。
【００４６】
なお、検出部１１２から出力されたパネル情報と管理パネル情報とが一致しない場合、ステップＳ１０９においてセキュリティ設定テーブルの確認を行ったのち、記憶部１１４のデータ領域への電源供給を停止させるようにしてもよい。記憶部１１４のデータ領域への電源供給が停止されることで、データ領域へのアクセスすることができなくするとともに、携帯端末１００の消費電力を低減させることができる。
【符号の説明】
【００４７】
１００    携帯端末
１１０    端末本体
１１１    装着部
１１２    検出部
１１３    制御部
１１４    記憶
１１５    ボタン
１２０    パネル
【図１】
2012191303.tif 000003
【図２】
2012191303.tif 000004
【図３】
2012191303.tif 000005
【図４】
2012191303.tif 000006